(57)【要約】【課題】本発明は、イレーザーを小型化でき、さらにマイクロカプセル磁気泳動表示シートの表面に表示された文字を完全に消去できるイレーザーを提供する。【解決手段】筆記面に記載された文字等を消去するためのイレーザーにおいて、前記筆記面に対して垂直に磁力線を生じさせる向きに配置された磁石と、前記磁石と前記筆記面との間に配置された磁性体と、を備える。これにより、クリアランスを小さくすることができ、イレーザーを小型化できる。さらに、マイクロカプセル磁気泳動表示シートの表面に表示された文字を完全に消去できる。【選択図】図１
2020076900.tif 000002
【特許請求の範囲】
【請求項１】
筆記面に対して垂直方向に磁力線を生じさせる向きに配置された磁石と、
前記磁石と前記筆記面との間に配置された磁性体と、を備えたイレーザーにおいて、
前記磁性体は、筆記面に対して垂直方向に設けられた少なくとも一つの空隙を備えたイレーザー。
【請求項２】
前記磁性体の前記筆記面に対向する面の面積は、前記磁石の前記筆記面に対向する面の面積よりも大きいことを特徴とする請求項１に記載のイレーザー。
【請求項３】
前記磁性体は、前記磁石と前記筆記面との間に複数層を形成して配置されることを特徴とする請求項１に記載のイレーザー。
【請求項４】
前記空隙は、前記磁性体が前記筆記面に対して平行となる仮想の面上に等間隔を空けて複数配置されることによって形成されることを特徴とする請求項１に記載のイレーザー。
【請求項５】
前記空隙は、前記磁性体に前記筆記面に対して垂直方向に設けられた少なくとも一つの貫通孔によって形成されることを特徴とする請求項１に記載のイレーザー。
【請求項６】
イレーザーと、文字等を記載するためのペンと、マイクロカプセル磁気泳動表示シートとを備えた表示装置において、
前記イレーザーは、請求項１乃至請求項５に記載のイレーザーであることを特徴とする表示装置。
【発明の詳細な説明】
【技術分野】
【０００１】
本発明は、マイクロカプセル磁気泳動表示シートの筆記面に表示された文字を表面から消去可能なイレーザーに関する。
【背景技術】
【０００２】
従来からマイクロカプセル磁気泳動表示シートの筆記面に表示された文字を表面から消去できるイレーザーは知られている。例えば、特許文献１には、マイクロカプセル磁気泳動表示シートと磁石との間にクリアランスを設けるために磁石に非磁性体を配置し、磁石を固定して磁力線を変化させないイレーザーが開示されている。このイレーザーの磁石の磁力線を、マイクロカプセル磁気泳動表示シート内のマイクロカプセルに水平に作用させることができる。これにより、表面側に集まったマイクロカプセル内の黒色の磁性粒子を泳動させ、分散させ、白色顔料の非磁性粒子を表面に多く集めることで、表面に表示された文字を消去させることができる。
【先行技術文献】
【特許文献】
【０００３】
【特許文献１】特開２００８−１２２９８９号公報
【発明の概要】
【発明が解決しようとする課題】
【０００４】
しかしながら、特許文献１のイレーザーは、水平の磁力線のみをマイクロカプセルに作用させるには、クリアランスを大きく取る必要があり、小型化を阻害する要因となっていた。また、マイクロカプセルと磁石とのクリアランスが大きくなればなるほど、マイクロカプセルに作用させる磁力線が弱まり、筆記面に表示された文字を完全に消去できないことがあった。
【０００５】
本発明は、イレーザーを小型化でき、さらにマイクロカプセル磁気泳動表示シートの筆記面に表示された文字を完全に消去できるイレーザーを提供することを目的とする。
【課題を解決するための手段】
【０００６】
上記目的を達成するために、請求項１に記載の発明に係るイレーザーは、筆記面に記載された文字等を消去するためのイレーザーにおいて、前記筆記面に対して垂直に磁力線を生じさせる向きに配置された磁石と、前記磁石と前記筆記面との間に配置された磁性体と、を備える。
【０００７】
請求項２に記載の発明に係るイレーザーにおいて、前記磁性体の筆記面に対向する面は、磁石の筆記面に対向する面よりも大きい。
【０００８】
請求項３に記載の発明に係るイレーザーにおいて、前記磁性体は、前記磁石と前記筆記面との間に複数層を形成して配置される。
【０００９】
請求項４に記載の発明に係るイレーザーにおいて、前記磁性体は、前記筆記面と対向する面に等間隔を空けて複数配置される。
【発明の効果】
【００１０】
本発明によれば、筆記面に記載された文字等を消去するためのイレーザーにおいて、磁石は、前記筆記面に対して垂直に磁力線を生じさせる向きに配置される。磁性体は、前記磁石と前記筆記面との間に配置される。この結果、クリアランスを小さくすることができ、イレーザーを小型化できる。さらに、マイクロカプセル磁気泳動表示シートの筆記面に表示された文字を完全に消去できる。
【図面の簡単な説明】
【００１１】
【図１】本発明の第１実施形態に係るイレーザーの全体形状図である。
【図２】本第１実施形態に係るイレーザーの図１のＡ−Ａ断面図である。
【図３】本第１実施形態に係るイレーザーの図１のＢ−Ｂ断面図である。
【図４】本第２実施形態に係るイレーザーの図１のＡ−Ａ断面図である。
【図５】本第２実施形態に係るイレーザーの図１のＢ−Ｂ断面図である。
【図６】本発明の第３実施形態に係るイレーザーの図１のＡ−Ａ断面図である。
【図７】本発明の第４実施形態に係るイレーザーの全体形状図である。
【図８】本第４実施形態に係るイレーザーの図６のＣ−Ｃ断面図である。
【発明を実施するための形態】
【００１２】
［第１実施形態］
本発明の第１実施形態に係るイレーザーについて、説明する。イレーザーを説明するために、図１に示す矢印Zの奥方向を「前」及び手前方向を「後」と、矢印Yの上方向を「上」及び下方向を「下」と、矢印Xの左方向を「左」及び右方向を「右」と、表現して説明する。
【００１３】
図１に示したイレーザーは、マイクロカプセル磁気泳動表示シートとペンとで構成される表示装置の一部品を構成する。利用者が、ペン、具体的にはペン先に磁石を備えたペンにて、マイクロカプセル磁気泳動表示シートの筆記面に文字等を記載できる。
図１に示すように、イレーザーは、ケース１を備え、ケース１の下側に位置する底面が、マイクロカプセル磁気泳動表示シートの筆記面側となるように形成される。利用者は、このケース１を手で掴み、筆記面に記載された文字等を消去するために、表面上を摺動させる。
【００１４】
図２は、図１のＡ−Ａ断面図であり、図３は、図１のＢ−Ｂ断面図である。図２及び図３を用いて、イレーザーを詳細に説明する。
【００１５】
イレーザーは、ケース１と、底板２と、磁石３と、磁性体４と、を備える。
【００１６】
ケース１は、プラスチック等の非磁性材料である材質から形成されており、筐体を兼ねている。ケース１の上の部分は、利用者が手で持つ部分であり、利用者が握りやすい形状であることが望ましい。ケース１の下側に位置する底面には、開口を有する凹部が形成されている。この凹部に磁石３及び磁性体４が配置される。また、その磁石３及び磁性体４と凹部との空隙に、樹脂が充填されており、磁石３及び磁性体４が固着される。
【００１７】
底板２は、プラスチック等の非磁性材料である材質で形成されている。底板２は、ケース１の凹部を塞ぐために備えられ、凹部の開口と同じ大きさを有している。底板２は、マイクロカプセル磁気泳動表示シートの筆記面を摺動するため、摩擦係数の少ない材質でコーティングされている。具体的には、フッ素コーティングなどが望ましい。
【００１８】
磁石３は、ケース１の凹部の中心に配置される。磁石３の磁極のうちN極の面が、マイクロカプセル磁気泳動表示シートの筆記面に対面する位置及び水平となる位置に配置される。これにより、磁石３の磁力線は、マイクロカプセル磁気泳動表示シートの筆記面に垂直となる方向に生じる。
【００１９】
磁性体４は、鉄、フェライト、ケイ素鋼鈑等の材質で形成される。磁性体４、左右方向に長手となる板状の形状である。磁性体４には、複数の貫通孔が上下方向に設けられている。また、磁性体４のマイクロカプセル磁気泳動表示シートの筆記面に対向する面の大きさが、磁石３の同様の面の大きさに比べて大きい。
【００２０】
図示しないが、磁性体４は、複数であっても良い。この場合、磁石３からマイクロカプセル磁気泳動表示シートの筆記面までの間に、同じ大きさの磁性体４であって、第１層目の磁性体４、第２層目の磁性体４、及び第３層目の磁性体４が配置されても良い。この場合、第１層目の磁性体４の貫通孔の位置に対して第２層目の磁性体４及び第３層目の磁性体４の各貫通孔の位置をずらして配置する。これによって、磁石３からの磁力線が直接マイクロカプセル磁気泳動表示シートの表面に作用されず、小さな磁力線の渦によって作用されることで、磁力線の強さを均一にし、きれいに消去することが可能となる。
【００２１】
＜本実施形態の効果＞
本実施形態によれば、磁石３とマイクロカプセル磁気泳動表示シートの筆記面との間に磁性体４が配置される。これによって、磁石３から生じた磁力線を、磁性体４で分散させて、小さな磁力線の渦を多数形成することが可能となり、磁力線の強さを均一にし、きれいに消去することが可能となる。また、水平方向の磁力線をマイクロカプセル磁気泳動表示シートの筆記面に作用させ易くなる。
【００２２】
本実施形態によれば、磁性体４の面の大きさが、磁石３の面の大きさよりも大きい。これにより、磁石３の磁力線を、磁性体４により小さな磁力線の渦を多数形成させることが可能となる。
【００２３】
［第２実施形態］
本発明の第２実施形態に係るイレーザーについて、説明する。第２実施形態は、磁性体４の形状において、第１実施形態と相違する。第２実施形態において、第１実施形態と同じ部材には、同じ番号を付し、その同じ部材の説明を省略する。
【００２４】
図４及び図５に示すように、磁性体５は、鉄、フェライト、ケイ素鋼鈑等の材質で形成される。磁性体５は、前後方向に長手となる板状の形状である。ケース１の凹部内であって、マイクロカプセル磁気泳動表示シートの筆記面に対向する面を成すように等間隔を空けて複数配置される。また磁性体５のマイクロカプセル磁気泳動表示シートの筆記面に対向する面の大きさが、磁石３の同様の面の大きさに比べて大きい。
【００２５】
＜本実施形態の効果＞
本実施形態によれば、磁石３から生じた磁力線を、磁性体５で分散させて、小さな磁力線の渦を多数形成することが可能となり、水平の磁力線をマイクロカプセル磁気泳動表示シートの筆記面に作用させ易くなる。
【００２６】
［第３実施形態］
本発明の第３実施形態に係るイレーザーについて、説明する。第３実施形態は、磁性体６の形状において、第１実施形態と相違する。第３実施形態において、第１実施形態と同じ部材には、同じ番号を付し、その同じ部材の説明を省略する。
【００２７】
図６に示すように、磁性体６は、鉄、フェライト、ケイ素鋼鈑等の材質で形成される。磁性体６は、前後方向に長手となる板状の形状である。磁性体６は、ケース１の凹部内であって、マイクロカプセル磁気泳動表示シートの筆記面に対向する第１層目の面を成すように等間隔を空けて複数配置される。さらに、磁性体６は、この第１層目の面に対して平行な第２層目の面を成すように等間隔を空けて複数配置される。第１層目と第２層目の磁性体６は、第１層目の磁性体６の等間隔の間に、第２層目の磁性体６が配置される。また磁性体６のマイクロカプセル磁気泳動表示シートの筆記面に対向する面の大きさが、磁石３の同様の面の大きさに比べて大きい。
【００２８】
＜本実施形態の効果＞
本実施形態によれば、磁石３から生じた磁力線を、磁性体６で分散させて、小さな磁力線の渦を多数形成することが可能となり、水平の磁力線をマイクロカプセル磁気泳動表示シートの筆記面に作用させ易くなる。
【００２９】
［第４実施形態］
本発明の第４実施形態に係るイレーザーについて、説明する。第４実施形態は、磁性体７の形状において、第１実施形態と相違する。第４実施形態において、第１実施形態と同じ部材には、同じ番号を付し、その同じ部材の説明を省略する。
【００３０】
図７及び図８に示すように、磁性体７は、鉄、フェライト、ケイ素鋼鈑等の材質で形成される。磁性体７は、上下方向に突出する半球の形状である。磁性体７には、複数の貫通孔が上下方向に設けられている。また磁性体７の半球形状の表面積の大きさが、磁石３の同様の面の大きさに比べて大きい。
【００３１】
＜本実施形態の効果＞
本実施形態によれば、磁石３から生じた磁力線を、磁性体７で分散させて、小さな磁力線の渦を多数形成することが可能となり、水平の磁力線をマイクロカプセル磁気泳動表示シートの筆記面に作用させ易くなる。
【００３２】
本発明の実施形態について以上説明したが、本発明の趣旨を逸脱しない範囲において、当業者であれば種々の変更を加えることができる。
【００３３】
（変形例１）
本実施形態において、磁石３は、ケース１の凹部の中央に配置される。この実施形態に代えて、磁石３は、複数であってケース１の凹部の中央を取り囲む位置に配置されても良い。
【００３４】
（変形例２）
本実施形態において、底板２は、ケース１の凹部を塞ぐために備えられ、凹部の開口と同じ大きさを有している。この実施形態に代えて、底板２を備えなくても良い。
【符号の説明】
【００３５】
１・・・ケース、２・・・底板、３・・・磁石、４・・・磁性体、５・・・磁性体、
６・・・磁性体、７・・・磁性体
【図１】
2020076900.tif 000003
【図２】
2020076900.tif 000004
【図３】
2020076900.tif 000005
【図４】
2020076900.tif 000006
【図５】
2020076900.tif 000007
【図６】
2020076900.tif 000008
【図７】
2020076900.tif 000009
【図８】
2020076900.tif 000010